(57)【要約】      （修正有）【課題】物流過程で簡単に積み重ねることができる段ボール製トレーを提供する。【解決手段】底壁１の周囲に連設した各一対の側壁２及び端壁３を起立させ、側壁２の側端に連設した折込片４を内側へ折り曲げ、端壁３を底壁１に順次繋がる外端板５、頂板６及び内端板７から構成して、その巻き込みにより端壁３に折込片４を挟み込み、外端板５の側端から延びる外折片８の上端にコーナー片９を連設し、外折片８を側壁２の外側に沿わせ、コーナー片９に設けた差込片１０を頂板６の差込穴１１に差し込んで保形する。積重ね時には、下段側トレーの上部から突出する係合突起１２を上段側トレーの底部の係合穴１３に係入する段ボール製トレーにおいて、前記係合突起１２を、頂板６の中央部をコ字状に切り込んで、端壁３の巻き込みに伴い立ち上がるものとし、前記係合穴１３を、底壁１の端壁３との境界に沿った部分の中央部に位置するものとする。【選択図】図４
0003168671.tif 000002
【実用新案登録請求の範囲】
【請求項１】
底壁(1)の周囲に連設した各一対の側壁(2)及び端壁(3)を起立させ、側壁(2)の側端に連設した折込片(4)を内側へ折り曲げ、端壁(3)を底壁(1)に順次繋がる外端板(5)、頂板(6)及び内端板(7)から構成して、その巻き込みにより端壁(3)に折込片(4)を挟み込み、外端板(5)の側端から延びる外折片(8)の上端にコーナー片(9)を連設し、外折片(8)を側壁(2)の外側に沿わせ、コーナー片(9)に設けた差込片(10)を頂板(6)の差込穴(11)に差し込んで保形し、積重ね時には、下段側トレーの上部から突出する係合突起(12)を上段側トレーの底部の係合穴(13)に係入する段ボール製トレーにおいて、前記係合突起(12)を、頂板(6)の中央部をコ字状に切り込んで、端壁(3)の巻き込みに伴い立ち上がるものとし、前記係合穴(13)を、底壁(1)の端壁(3)との境界に沿った部分の中央部に位置するものとしたことを特徴とする段ボール製トレー。
【考案の詳細な説明】
【技術分野】
【０００１】
この考案は、青果物の運搬等に使用する多段に積重ね可能な段ボール製トレーに関するものである。
【背景技術】
【０００２】
従来、図５に示すような段ボール製トレーが知られている（下記特許文献１参照）。
【０００３】
このトレーは、底壁５１の周囲に連設した各一対の側壁５２及び端壁５３を起立させ、側壁５２の側端に連設した折込片５４を内側へ折り曲げ、端壁５３を底壁５１から順次繋がる外端板５５、頂板５６及び内端板５７から構成して、これらを巻き込むように折り曲げることにより、端壁５３に折込片５４を挟み込んでいる。
【０００４】
また、外端板５５の側端から延出した外折片５８の上端にコーナー片５９を連設し、外折片５８を側壁の外側に沿わせ、コーナー片５９に設けた差込片６０を頂板５６の差込穴６１に差し込んで組み立てることとしている。
【０００５】
このトレーには、外端板５５と外折片５８とが形成するコーナー部に、Ｌ字状の係合突起６２が上方へ向けて突設されると共に、このコーナー部の下部を切り欠いて、係合穴６３が形成されている。
【０００６】
このようなトレーを複数上下に積み重ねる際には、下段側トレーの四隅の係合突起６２を、上段側トレーの四隅の係合穴６３に係入する。これにより、下段側トレーと上段側トレーの相互のずれが防止され、積重ね状態が安定する。
【先行技術文献】
【特許文献】
【０００７】
【特許文献１】実開昭５９−１９５２６号公報
【考案の概要】
【考案が解決しようとする課題】
【０００８】
しかしながら、上記のような段ボール製トレーでは、積み重ねる際、上下のトレーの四隅の位置を厳密に合わせなければならず、例えば、青果物の出荷時や市場での取扱時に、積み重ねに手間取るという問題がある。
【０００９】
そこで、この考案は、段ボール製トレーを、物流過程で簡単に積み重ねることができるようにすることを課題とする。
【課題を解決するための手段】
【００１０】
上記課題を解決するため、この考案は、底壁の周囲に連設した各一対の側壁及び端壁を起立させ、側壁の側端に連設した折込片を内側へ折り曲げ、端壁を底壁に順次繋がる外端板、頂板及び内端板から構成して、その巻き込みにより端壁に折込片を挟み込み、外端板の側端から延びる外折片の上端にコーナー片を連設し、外折片を側壁の外側に沿わせ、コーナー片に設けた差込片を頂板の差込穴に差し込んで保形し、積重ね時には、下段側トレーの上部から突出する係合突起を上段側トレーの底部の係合穴に係入する段ボール製トレーにおいて、前記係合突起を、頂板の中央部をコ字状に切り込んで、端壁の巻き込みに伴い立ち上がるものとし、前記係合穴を、底壁の端壁との境界に沿った部分の中央部に位置するものとしたのである。
【考案の効果】
【００１１】
この考案に係る段ボール製トレーでは、係合突起が端壁の中央部から立ち上がる舌片状のものされ、係合穴も端壁の底側中央部に位置しているので、積重ね時に、上下のトレーの四隅の位置を厳密に合わせなくても、係合突起を係合穴に係入することができ、物流過程での取扱作業性を向上させることができる。
【図面の簡単な説明】
【００１２】
【図１】この考案に係る段ボール製トレーのブランクを示す図
【図２】同上の組立過程を示す斜視図
【図３】同上の組立状態を示す斜視図
【図４】同上の積重ね状態を示す斜視図
【図５】従来の段ボール製トレーの積重ね状態を示す斜視図
【考案を実施するための形態】
【００１３】
以下、この考案の実施形態を添付図面に基づいて説明する。
【００１４】
この段ボール製トレーのブランクでは、図１に示すように、長方形の底壁１の一対の長辺に側壁２が連設され、一対の短辺に端壁３が連設されている。側壁２の両側端には、折込片４が連設され、端壁３は、底壁１から順次繋がる外端板５、頂板６及び内端板７から構成されている。
【００１５】
内端板７の先端縁両側部には、係止突起７ａが設けられ、底壁１の外端板５との境界に沿った両側部には、係止穴１ａが設けられている。
【００１６】
外端板５の両側端には、折込片４を斜めに切り欠いて三角状の外折片８が連設され、外折片８の組立時における上端には、端縁が弧状のコーナー片９が連設されている。コーナー片９の先端部には、内端板７へ向けて差込片１０が連設され、頂板６には、両側部に差込穴１１が設けられている。
【００１７】
内端板７の頂板６との境界中央部には、頂板６をコ字状に切り込んで、係合突起１２が突設され、底壁１の外端板５との境界に沿った中央部には、スロット状の係合穴１３が設けられている。
【００１８】
内端板７の先端縁中央部には、後述の積重ね時に係合突起１２との干渉を回避する切欠部７ｂが設けられている。
【００１９】
外折片８とコーナー片９の境界には、組み立て時の折曲抵抗を軽減するため、コ字状の切込１４が入れられている。
【００２０】
このようなブランクを組み立てるには、図２に示すように、底壁１から側壁２を起立させ、側壁２から折込片４を内側へ折り曲げ、底壁１から外端板５を起立させ、頂板６を内側水平方向へ、内端板７を下方へ折り曲げることにより、端壁３に折込片４を挟み込み、係止突起７ａを係止穴１ａに係合させて、内端板７の跳ね上がりを防止する。
【００２１】
このとき、端壁３の巻き込むような折り曲げに伴い、係合突起１２が頂板６から立ち上がり、上方へ突出する。
【００２２】
次に、図３に示すように、外折片８を側壁２の外側に沿わせるように折り曲げ、コーナー片９を内側水平方向へ折り曲げて、側壁２及び端壁３の端部に載せ、差込片１０を差込穴１１に差し込むと、トレーの組み立てが完了する。
【００２３】
上記のような段ボール製トレーでは、係合突起１２が端壁３の中央部から立ち上がる舌片状のものされ、係合穴１３も端壁３の底側中央部に位置しているので、図４に示すように、積重ね時に、上下のトレーの四隅の位置を厳密に合わせなくても、係合突起１２を係合穴１３に係入することができ、物流過程での取扱作業性を向上させることができる。
【００２４】
また、このようなトレーでは、長手方向の側壁２が一重となっているので、側壁及び端壁が二重構造のものと比べて、材料の使用量を削減することができる。
【００２５】
さらに、組み立て時に、ブランクを折り曲げる回数が減るので、組立作業を容易に行なうことができる。
【００２６】
なお、上記実施形態では、係合突起１２を形成するため、内端板７の上端中央部から頂板６をコ字状に切り込んだが、外端板５の上端中央部から頂板６をコ字状に切り込むようにしてもよい。
【符号の説明】
【００２７】
１  底壁
１ａ  係止穴
２  側壁
３  端壁
４  折込片
５  外端板
６  頂板
７  内端板
７ａ  係止突起
７ｂ  切欠部
８  外折片
９  コーナー片
１０  差込片
１１  差込穴
１２  係合突起
１３  係合穴
１４  切込
【図１】
0003168671.tif 000003
【図２】
0003168671.tif 000004
【図３】
0003168671.tif 000005
【図４】
0003168671.tif 000006
【図５】
0003168671.tif 000007